(57)【特許請求の範囲】
【請求項１】
雌側筒体と、
該雌側筒体内に挿抜可能に挿入される雄側ピンと、
前記雌側筒体と前記雄側ピンとの間に前記雌側筒体及び前記雄側ピンの双方に対して摺動可能に挿入されたロック解除用カラーと、
前後移動可能に前記雌側筒体に外嵌されたカラー操作環と、
前記長孔に挿通される連結ピンと、を備え、
前記雌側筒体には、その側壁を部分的に内側に切り起こして前記雄側ピンに向けて付勢力を有するロック片が形成されているとともに、その側壁には前後方向に沿う長孔が形成されており、
前記雄側ピンには、前記ロック片の付勢力によって前記ロック片の先端部が係合して前記雄側ピンを抜き出し不能にロックするロック用段部が形成されており、
前記ロック解除用カラーにはその側壁に前記ロック片が嵌入する開口部が形成されており、前記ロック解除用カラーが前進すると、前記開口部の後縁部により、前記付勢力に抗して前記ロック片が外側に押し出されるようになっており、
前記カラー操作環は前記連結ピンを介して前記ロック解除用カラーに一体連結されている装身具用ジョイント。
【請求項２】
雌側筒体と、
該雌側筒体内に挿抜可能に挿入される雄側ピンと、
前記雌側筒体と前記雄側ピンとの間に前記雌側筒体及び前記雄側ピンの双方に対して摺動可能に挿入されたロック解除用カラーと、
前記雄側ピンに嵌められ、前記雄側ピンが前記雌側筒体内に押し込まれる長さを規制する位置決めリングと、を備え、
前記雌側筒体には、その側壁を部分的に内側に切り起こして前記雄側ピンに向けて付勢力を有するロック片が形成されており、
前記雄側ピンには、前記ロック片の付勢力によって前記ロック片の先端部が係合して前記雄側ピンを抜き出し不能にロックするロック用段部が形成されており、
前記雄側ピンの外周面には、前記ロック解除用カラーを前方に押し出すための突起部が突設されており、
前記位置決めリングは前記突起部と前記雄側ピンの端部との間において前後に移動可能である装身具用ジョイント。
【請求項３】
前記ロック解除用カラーには、その後端から中央部に向けて互いに平行な２本の切り込みを入れ、その２本の切り込みに挟まれた舌片を外側に切り起こして形成された弾性変形可能な摩擦片が形成されていることを特徴とする請求項２に記載の装身具用ジョイント。
【請求項４】
雌側筒体と、
該雌側筒体内に挿抜可能に挿入される雄側ピンと、
前記雌側筒体と前記雄側ピンとの間に前記雌側筒体及び前記雄側ピンの双方に対して摺動可能に挿入されたロック解除用カラーと、
前記雄側ピンの移動量を規制する移動量規制片と、を備え、
前記雌側筒体には、その側壁を部分的に内側に切り起こして前記雄側ピンに向けて付勢力を有するロック片が形成されており、
前記雄側ピンには、前記ロック片の付勢力によって前記ロック片の先端部が係合して前記雄側ピンを抜き出し不能にロックするロック用段部が形成されており、
前記雄側ピンの後部には前記ロック解除用カラーを前方に押し出すためのフランジが突設され、
前記ロック解除用カラーにはその側壁に環状溝が形成され、
前記移動量規制片は、前記環状溝に係合する位置と前記環状溝と係合しない位置との間で枢動可能であるように前記フランジに取り付けられている装身具用ジョイント。
【発明の詳細な説明】
【０００１】
【産業上の利用分野】
本発明は例えばネックレスなどの装身具を連結するための装身具用ジョイントに関する。
【０００２】
【従来の技術】
図８に示すように、装身具の一例であるネックレスＮを身体に装着する場合には、該ネックレスＮを首部に巻き付けた後、その両端部をジョイントＪにより連結することが行われるが、従来、前記ジョイントＪの一例として図９に示すものがある。これは、ネックレスＮの一端に連結したリング１と、該ネックレスＮの他端に連結したプレート２とを有し、前記リング１は、円弧状パイプからなるリング本体１ａと、該リング本体１ａの一端部内にスライド可能に嵌挿され、その先端部がリング本体１ａの他端部に係脱可能に形成された把手３付き円弧状スライダー１ｂと、リング本体１ａ内に配設されて、前記スライダー１ｂを係合方向に付勢するばね１ｃとを有し、前記プレート２に形成した嵌合孔４をリング１に嵌合させるようになっている。
【０００３】
【発明が解決しようとする課題】
上記従来のジョイントＪでは、ネックレスＮを身体に装着する場合に、一方の手でリング本体１ａを把持し、スライダー１ｂをばね１ｃに抗してスライドさせることにより、該スライダー１ｂの先端部をリング本体１ａの他端部から離間させた状態を保持しながら、他方の手でプレート２を把持して、該プレート２の嵌合孔４をリング本体１ａの他端部に嵌合させる必要があり、その嵌合に手間がかかって、ジョイントＪの連結が面倒である。
【０００４】
また、従来、ジョイントＪの他の例として図１０に示すものがある。これは、ネックレスＮの一端に連結した矩形箱状の雌側筒体５と、該ネックレスＮの他端に連結した略二つ折状の板ばね製雄側プレート６とを有し、該雄側プレート６を雌側筒体５内に差し込むだけで、該雄側プレート６の遊端部６ａが弾性変形して、該遊端部６ａに形成した凹部７が雌側筒体５の開口部に突設した突起部８に係合し、雌側筒体５に雄側プレート６を簡単に連結することができ、また、この連結状態から遊端部６ａの先端を押すだけで、その両者を簡単に分離することができる。
【０００５】
上記構成によれば、ジョイントＪの連結及びその連結解除を簡単に行うことができるが、繰り返し使用している間に雄側プレート６の付勢力が低下しやすく、その結果、ネックレスＮに小さな引っ張り力がかかっただけで、前記突起部８から凹部７が外れて、ジョイントＪの連結が不測に解除される虞れがある。
【０００６】
本発明は、上記欠点に鑑み、連結及び連結解除を簡単に行うことができると共に、連結状態を確実にロックすることができる装身具用ジョイントを提供することを目的としている。
【０００７】
【課題を解決するための手段】
上記の目的を達成するため、本発明は、雌側筒体と、該雌側筒体内に挿抜可能に挿入される雄側ピンと、前記雌側筒体と前記雄側ピンとの間に前記雌側筒体及び前記雄側ピンの双方に対して摺動可能に挿入されたロック解除用カラーと、前後移動可能に前記雌側筒体に外嵌されたカラー操作環と、前記長孔に挿通される連結ピンと、を備え、前記雌側筒体には、その側壁を部分的に内側に切り起こして前記雄側ピンに向けて付勢力を有するロック片が形成されているとともに、その側壁には前後方向に沿う長孔が形成されており、前記雄側ピンには、前記ロック片の付勢力によって前記ロック片の先端部が係合して前記雄側ピンを抜き出し不能にロックするロック用段部が形成されており、前記ロック解除用カラーにはその側壁に前記ロック片が嵌入する開口部が形成されており、前記ロック解除用カラーが前進すると、前記開口部の後縁部により、前記付勢力に抗して前記ロック片が外側に押し出されるようになっており、前記カラー操作環は前記連結ピンを介して前記ロック解除用カラーに一体連結されている装身具用ジョイントを提供する。
【０００８】
さらに、本発明は、雌側筒体と、該雌側筒体内に挿抜可能に挿入される雄側ピンと、前記雌側筒体と前記雄側ピンとの間に前記雌側筒体及び前記雄側ピンの双方に対して摺動可能に挿入されたロック解除用カラーと、前記雄側ピンに嵌められ、前記雄側ピンが前記雌側筒体内に押し込まれる長さを規制する位置決めリングと、を備え、前記雌側筒体には、その側壁を部分的に内側に切り起こして前記雄側ピンに向けて付勢力を有するロック片が形成されており、前記雄側ピンには、前記ロック片の付勢力によって前記ロック片の先端部が係合して前記雄側ピンを抜き出し不能にロックするロック用段部が形成されており、前記雄側ピンの外周面には、前記ロック解除用カラーを前方に押し出すための突起部が突設されており、前記位置決めリングは前記突起部と前記雄側ピンの端部との間において前後に移動可能である装身具用ジョイントを提供する。
【０００９】
前記ロック解除用カラーには、その後端から中央部に向けて互いに平行な２本の切り込みを入れ、その２本の切り込みに挟まれた舌片を外側に切り起こして形成された弾性変形可能な摩擦片が形成されていることが好ましい。
【００１０】
さらに、本発明は、雌側筒体と、該雌側筒体内に挿抜可能に挿入される雄側ピンと、前記雌側筒体と前記雄側ピンとの間に前記雌側筒体及び前記雄側ピンの双方に対して摺動可能に挿入されたロック解除用カラーと、前記雄側ピンの移動量を規制する移動量規制片と、を備え、前記雌側筒体には、その側壁を部分的に内側に切り起こして前記雄側ピンに向けて付勢力を有するロック片が形成されており、前記雄側ピンには、前記ロック片の付勢力によって前記ロック片の先端部が係合して前記雄側ピンを抜き出し不能にロックするロック用段部が形成されており、前記雄側ピンの後部には前記ロック解除用カラーを前方に押し出すためのフランジが突設され、前記ロック解除用カラーにはその側壁に環状溝が形成され、前記移動量規制片は、前記環状溝に係合する位置と前記環状溝と係合しない位置との間で枢動可能であるように前記フランジに取り付けられている装身具用ジョイントを提供する。
【００１１】
【作用】
請求項１記載の発明において、装身具Ｎを身体に装着する場合には、一方の手で装身具Ｎの一端に取り付けた雌側筒体１０を把持すると共に、他方の手で装身具Ｎの他端に取り付けた雄側ピン１１を把持して、該雄側ピン１１を前記雌側筒体１０内に挿入するだけでよい。これによって、ロック片１５の先端部１５ａが雄側ピン１１のロック用段部１９ａ，２０ａに係合して、ジョイントＪを簡単に連結することができる。
【００１２】
また、ジョイントＪを連結した状態で、雄側ピン１１を雌側筒体１０から抜き出す方向に引っ張り力がかかっても、その引っ張り力によりロック片１５の先端部１５ａとロック用段部１９ａ，２０ａとの係合が強化されるため、雄側ピン１１を抜き出し不能にロックすることができ、ジョイントＪの連結が不測に外れる虞れがない。
【００１３】
更に、ジョイントＪを連結した状態からロック解除用カラー１２，２９を前進させるだけで、該カラー１２，２９により前記ロック片１５の先端部１５ａをロック用段部１９ａ，２０ａから離脱させてロックを解除し、ジョイントＪの連結を簡単に解消することができる。
【００１４】
さらに、カラー操作環２４を操作してロック解除用カラー１２を後退させた状態で、雄側ピン１１を雌側筒体１０に挿入することにより、該雌側ピン１１のロック用段部２０ａにロック片１５の先端部１５ａを確実に係合させてジョイントＪを連結することができ、また、この連結状態から、カラー操作環２４を操作してロック解除用カラー１２を前進させることにより、ロック片１５の先端部１５ａをロック用段部２０ａから離脱させてジョイントＪの連結を解除することができるものであって、ジョイントＪの連結及び連結解除を簡単な操作で容易に行うことができる。
【００１５】
請求項２に記載の発明によれば、ジョイントＪを連結した状態から雄側ピン１１を雌側筒体１０内に押し込むだけで、該雄側ピン１１に突設した突起部２８によりロック解除用カラー１２を前方に押し出して、ロック片１５の先端部１５ａをロック用段部２０ａから離脱させ、ジョイントＪの連結を簡単に解除することができる。
【００１６】
請求項４記載の発明によれば、ジョイントＪを連結した状態で雄側ピン１１に対し雌側筒体１０内に押し込む方向に力がかかっても、該雄側ピン１１が移動量規制片３３により移動を規制されているため、その雄側ピン１１が雌側筒体１０に押し込められることがなく、ジョイントＪの連結が不測に外れる虞れがない。
【００１７】
また、ジョイントＪを連結した状態から前記移動量規制片３３を変位させた後、雄側ピン１１を雌側筒体１０内に押し込むだけで、該雄側ピン１１に突設したフランジ１１ｃによりロック解除用カラー１２を前方に押し出してジョイントＪの連結を簡単に解除することができる。
【００１８】
【実施例】
以下、本発明の実施例を図面に基づいて説明する。図１は本発明の第１の実施例である装身具用ジョイントＪによりネックレスＮ（図８参照）の両端部を連結した状態を示すものであって、図２にも示すように、雌側筒体１０と、該雌側筒体１０内に挿抜可能に挿入される雄側ピン１１とを有し、前記雌側筒体１０内にロック解除用カラー１２が前後に移動可能に内嵌されている。
【００１９】
前記雌側筒体１０は、横断面円形（または四角形などの多角形）に形成されており、その側壁１０ａの中央部に該雌側筒体１０の長手方向に沿う略コ字状の切れ目１４を周方向所定間隔（この実施例では１８０°）をおいて複数形成すると共に、該各切れ目１４により切り出された舌片を雌側筒体１０の後部側から前部側に向けて斜め内側に切り起すことにより、雄側ピン１１に向けて付勢力を有する弾性変形可能なロック片１５が形成されている。なお、この実施例ではロック片１５を複数形成したが、少なくとも１つ形成してあればよい。また、雌側筒体１０の後端部に雄側ピン挿入用開口部１６が形成され、その前端部に端壁１０ｂが一体形成されると共に、該端壁１０ｂに固着したリング１７にネックレスＮの一端が連結されている。
【００２０】
前記雄側ピン１１は、雌側筒体１０に挿入されるピン本体１１ａと、該ピン本体１１ａの後端部に一体形成された鍔部１１ｂとを備えており、前記ピン本体１１ａの中央部に前記ロック片１５に係合する環状溝１９が形成され、また、雄側ピン１１の先端に形成した頭部２０の先端面が略半球面状に形成されており、このピン本体１１ａを雌側筒体１０内に容易に挿入することができるようになっている。更に、雄側ピン１１の頭部２０と環状溝１９との境界にロック用段部１９ａが形成され、また更に、前記鍔部１１ｂに固着したリング２１にネックレスＮの他端が連結されている。
【００２１】
前記ロック解除用カラー１２には、その中央部に前記ロック片１５が遊嵌入する開口部２２が開設されており、該カラー１２を雌側筒体１０の後部に位置する状態から前進させることにより、前記開口部２２の後縁部２２ａによりロック片１５が外側に押し出されるようになっている。
【００２２】
図１中、２４は前記雌側筒体１０の前部に前後に移動可能に外嵌されたカラー操作環であって、雌側筒体１０の前部に前後方向に沿って貫設した長孔２５に挿通した連結ピン２６を介して前記カラー１２に一体連結されている。
【００２３】
上記構成において、ネックレスＮを身体に装着する場合には、カラー操作環２４を操作してロック解除用カラー１２を雌側筒体１０の後部に位置させた状態で、一方の手で雌側筒体１０を把持すると共に、他方の手で雄側ピン１１を把持して、該雄側ピン１１を雌側筒体１０内に挿入するだけでよい。これによって、雄側ピン１１の頭部２０によりロック片１５が弾性変形されて一旦外側に押し出された後、該頭部２０の通過により、ロック片１５がその付勢力により雌側筒体１０内に戻って環状溝１９に嵌入し、図１（ａ）に示すように、ロック片１５の先端部１５ａと雄側ピン１１のロック用段部１９ａとが係合して、ジョイントＪを簡単に連結することができる。
【００２４】
また、この状態で、雄側ピン１１を雌側筒体１０から抜き出す方向に引っ張り力がかかっても、その引っ張り力によりロック片１５の先端部１５ａとロック用段部１９ａとの係合状態が強化されるから、雄側ピン１１を抜き出し不能にロックすることができ、ジョイントＪの連結が不測に外れる虞れがない。
【００２５】
次に、ジョイントＪの連結を解除する場合には、同図（ｂ）に示すように、カラー操作環２４を前進させるだけでよい。これによって、連結ピン２６を介してロック解除用カラー１２も一体に前進し、該カラー１２に開設した開口部２２の後縁部２２ａによりロック片１５が外側に押し出され、ロック片１５の先端部１５ａがロック用段部１９ａから離脱される。続いて、同図（ｃ）に示すように、鍔部１１ｂを把持して雄側ピン１１を後方に引っ張るだけで、該雄側ピン１１を雌側筒体１０内から引き抜くことができる。その後、カラー操作環２４を後退させることにより、同図（ｄ）に示すように、ロック解除用カラー１２も後退し、ロック片１５をその付勢力により再び雌側筒体１０内に戻すことができる。
【００２６】
図３は本発明の第２の実施例である装身具用ジョイントＪによりネックレスＮ（図８参照）の両端部を連結した状態を示すものであって、雄側ピン１１のピン本体１１ａがその頭部２０よりも小径に形成されると共に、雄側ピン１１の頭部２０とピン本体１１ａとの境界にロック用段部２０ａが形成され、前記ピン本体１１ａの後部近傍に環状の突起部２８が突設され、該突起部２８の外径が雌側筒体１０の内径と同一またはわずかに小さく設定され、また、ピン本体１１ａの頭部２０と突起部２８との間にロック解除用カラー２９が前後に移動可能に外嵌されると共に、ピン本体１１ａの突起部２８と鍔部１１ｂとの間に位置決めリング３０が前後に移動可能に外嵌されている。
【００２７】
図４に示すように、前記ロック解除用カラー２９の後部の周方向所定間隔（この実施例では１８０°）をおいた複数箇所に、該カラー２９の後端から中央部に向けて互いに平行する２本の切り込みを形成すると共に、その各２本の切り込みに挟まれた舌片を若干外側に切り起すことにより、弾性変形可能な摩擦片３１が形成されており、該各摩擦片３１を雌側筒体１０の内周面に当接させることにより、カラー２９が不測に移動しないように構成している。なお、この実施例では摩擦片３１を複数形成したが、少なくとも１つ形成してあればよい。上記以外の構成で第１の実施例と同一部分には同一符号を付してその説明を省略する。
【００２８】
上記構成において、ネックレスＮを身体に装着する場合には、第１の実施例と同様に、一方の手で雌側筒体１０を把持すると共に、他方の手で雄側ピン１１を把持して、該雄側ピン１１を雌側筒体１０内に挿入するだけでよい。これによって、図１（ａ）に示すように、ロック片１５の先端部１５ａと雄側ピン１１のロック用段部２０ａとが係合して、ジョイントＪを簡単に連結することができる。
【００２９】
また、この状態で、雄側ピン１１を雌側筒体１０から抜き出す方向に引っ張り力がかかっても、その引っ張り力によりロック片１５の先端部１５ａとロック用段部２０ａとの係合状態が強化されるから、雄側ピン１１を抜き出し不能にロックすることができ、ジョイントＪの連結が不測に外れる虞れがない。
【００３０】
次に、ジョイントＪの連結を解除する場合には、同図（ｂ）に示すように、雄側ピン１１を雌側筒体１０内に押し込むだけでよい。これによって、突起部２８によりロック解除用カラー２９が雌側筒体１０内の押し込まれて前進し、該カラー２９の先端縁２９ａによりロック片１５が外側に押し出され、ロック片１５の先端部１５ａがロック用段部２０ａから離脱される。なお、位置決めリング３０が雌側筒体１０の後端に当たって、雄側ピン１１の押し込み長さが規制されるため、該雄側ピン１１を雌側筒体１０内に押し込み過ぎる虞れがない。続いて、同図（ｃ）に示すように、鍔部１１ｂを把持して雄側ピン１１を後方に引っ張るだけで、該雄側ピン１１を雌側筒体１０内から引き抜くことができる。この場合、カラー２９が摩擦片３１により雌側筒体１０に係止され、該カラー２９によるロック片１５の押し出し状態が保持されており、この状態で雄側ピン１１のみが後退するため、ロック片１５に雄側ピン１１の頭部２０が係合することがなく、確実にロックを解除することができる。その後、同図（ｄ）に示すように、雄側ピン１１が雌側筒体１０内から引き出されると、それに伴って、該雄側ピン１１の頭部２０によりカラー２９も雌側筒体１０内から引き出され、ロック片１５をその付勢力により再び雌側筒体１０内に戻すことができる。
【００３１】
図５は本発明の第３の実施例である装身具用ジョイントＪによりネックレスＮ（図８参照）の両端部を連結した状態を示すものであって、雄側ピン１１の後部にロック解除用カラー２９を前方に押し出すためのカラー押出用フランジ１１ｃが突設され、該フランジ１１ｃに雄側ピン１１の移動量を規制するための移動量規制片３３が枢着されている。
【００３２】
前記移動量規制片３３は、図６及び図７に示すように、横断面略下向きＵ字状に形成され、その両側壁部の中央部に横断方向に沿ってスリット３４を形成することにより、把手５付き前側部分３３ａと後側部分３３ｂとに分けられ、その後側部分３３ｂは、雄側ピン１１のフランジ１１ｃに外嵌されると共に、該フランジ１１ｃを水平方向に貫通する枢着軸３６に水平姿勢から起立姿勢に変位可能に枢着され、前記前側部分３３ａは、その両側壁部を内側に若干押し曲げることにより、カラー２９の後部に形成した環状溝３７に係合可能に構成されている。
【００３３】
上記構成において、ネックレスＮを身体に装着する場合には、第１、第２の実施例と同様に、一方の手で雌側筒体１０を把持すると共に、他方の手で雄側ピン１１を把持して、該雄側ピン１１を雌側筒体１０内に挿入するだけでよい。この場合、図５（ａ）に示すように、移動量規制片３３の前側部分３３ａをロック解除用カラー２９の環状溝３７に係合させることにより、該カラー２９を雄側ピン１１の後方に保持することができるから、雄側ピン１１を雌側筒体１０内に挿入する際に、カラー２９によりロック片１５を外側に押し出す虞れがなく、該ロック片１５の先端部１５ａに雄側ピン１１のロック用段部２０ａを確実に係合させることができる。
【００３４】
また、ジョイントＪを連結した状態で、雄側ピン１１を雌側筒体１０から抜き出す方向に引っ張り力がかかっても、その引っ張り力によりロック片１５と雄側ピン１１との係合が強化されるため、雄側ピン１１を抜き出し不能にロックすることができると共に、雄側ピン１１を雌側筒体１０内に押し込む方向に力がかかっても、移動量規制片３３が雌側筒体１０の後端に当たるため、雄側ピン１１及びロック解除用カラー２９が雌側筒体１０内に押し込まれることがなく、ジョイントＪの連結が不測に外れる虞れがない。
【００３５】
次に、ジョイントＪの連結を解除する場合には、同図（ｂ）に示すように、移動量規制片３３を枢着軸３６を中心に起立させてカラー２９の係止を解除した後、雄側ピン１１を雌側筒体１０内に押し込むだけでよい。これによって、フランジ１１ｃによりカラー２９が雌側筒体１０内に押し込まれて前進し、該カラー２９の先端縁２９ａによりロック片１５が外側に押し出され、ロック片１５の先端部１５ａがロック用段部２０ａから離脱される。なお、移動量規制片３３の後側部分３３ｂが雌側筒体１０の後端に当たって、雄側ピン１１の押し込み長さが規制されるため、該雄側ピン１１を雌側筒体１０内に押し込み過ぎる虞れがない。続いて、同図（ｃ）に示すように、フランジ１１ｃを把持して雄側ピン１１を後方に引っ張るだけで、該雄側ピン１１を雌側筒体１０内から引き抜くことができる。この場合、カラー２９によるロック片１５の押し出し状態が保持されており、この状態で雄側ピン１１のみが後退するため、ロック片１５に雄側ピン１１の頭部２０が係合することがなく、確実にロックを解除することができる。その後、同図（ｄ）に示すように、雄側ピン１１が雌側筒体１０内から引き出されると、それに伴って、該雄側ピン１１の頭部２０によりカラー２９も雌側筒体１０内から引き出され、ロック片１５をその付勢力により再び雌側筒体１０内に戻すことができる。
【００３６】
【発明の効果】
請求項１記載の発明によれば、雄側ピンを雌側筒体内に挿入するだけで、該雄側ピンのロック用段部にロック片の先端部が係合して、ジョイントを簡単に連結することができる。
【００３７】
また、ジョイントを連結した状態で、雄側ピンを雌側筒体から抜き出す方向に引っ張り力がかかっても、その引っ張り力によりロック片の先端部と雄側ピンのロック用段部との係合が強化されるから、ジョイントの連結が不測に外れる虞れがない。
【００３８】
更に、ジョイントを連結した状態から雌側筒体に内嵌させたロック解除用カラーを前進させるだけで、該カラーにより前記ロック片先端部をロック用段部から離脱させてロックを解除し、ジョイントの連結を簡単に解消することができる。
【００３９】
さらに、ジョイントを連結した状態からカラー操作環を操作してロック解除用カラーを前進させるだけで、ロック片の先端部をロック用段部から離脱させてジョイントの連結を解除することができる。
【００４０】
請求項２に記載の発明によれば、ジョイントを連結した状態から雄側ピンを雌側筒体内に押し込むだけで、該雄側ピンに突設した突起部によりロック解除用カラーを前方に押し出して、ロック片の先端部をロック用段部から離脱させ、ジョイントの連結を簡単に解除することができる。
【００４１】
請求項４記載の発明によれば、ジョイントを連結した状態で雄側ピンに対し雌側筒体内に押し込む方向に力がかかっても、該雄側ピンが移動量規制片により移動を規制されているため、その雄側ピンが雌側筒体に押し込められることがなく、ジョイントの連結が不測に外れる虞れがない。
【００４２】
また、ジョイントを連結した状態から前記移動量規制片を変位させた後、雄側ピンを雌側筒体内に押し込むだけで、該雄側ピンに突設したフランジによりロック解除用カラーを前方に押し出してジョイントの連結を簡単に解除することができる。
【図面の簡単な説明】
【図１】（ａ）〜（ｄ）は本発明の第１の実施例である装身具用ジョイントの連結及び連結解除の手順を示す縦断面図である。
【図２】同ジョイントの分解斜視図である。
【図３】（ａ）〜（ｄ）は本発明の第２の実施例である装身具用ジョイントの連結及び連結解除の手順を示す縦断面図である。
【図４】同ジョイントの分解斜視図である。
【図５】（ａ）〜（ｄ）は本発明の第３の実施例である装身具用ジョイントの連結及び連結解除の手順を示す縦断面図である。
【図６】図５のＡ−Ａ矢視図である。
【図７】同ジョイントの分解斜視図である。
【図８】装身具を装着した状態の概略説明図である。
【図９】従来の一例を示す正面図である。
【図１０】従来の他の例を示す縦断面図である。
【符号の説明】
１０    雌側筒体
１１    雄側ピン
１１ｃ  フランジ
１２    ロック解除用カラー
１５    ロック片
１５ａ  ロック片の先端部
１９ａ  ロック用段部
２０ａ  ロック用段部
２４    カラー操作環
２８    突起部
２９  ロック解除用カラー
３３  移動量規制片
Ｎ    ネックレス
Ｊ    ジョイント
【図１】
0003742127.tif 000002
【図２】
0003742127.tif 000003
【図３】
0003742127.tif 000004
【図４】
0003742127.tif 000005
【図５】
0003742127.tif 000006
【図６】
0003742127.tif 000007
【図７】
0003742127.tif 000008
【図８】
0003742127.tif 000009
【図９】
0003742127.tif 000010
【図１０】
0003742127.tif 000011